(57)【特許請求の範囲】
【請求項１】
内枠の底面を支承するハコ状受け部の底面に取付用スリットを開口した外枠と、この外枠に脱着する外枠取付手段とからなり、
外枠取付手段は、前面にビス用孔を開設し、上面に切欠開口部と貫通孔とを備えた背面開口のハコ状ボディ本体と、このハコ状ボディ本体の貫通孔に嵌入され、臨出する係止爪が取付用スリットを介して外枠のハコ状受け部に固定される介在アームと、ハコ状ボディ本体に嵌着され、対向する両壁の上面が前方向へ上昇傾斜する勾配面を有し、底面部に後方への付勢バネと下方への付勢バネとを備え、両壁の嵌合突部が介在アームの下部の嵌合受け部に嵌着すると共に、下方への付勢バネがハコ状ボディ本体のバネ押え片に係止するバスネライダーと、バネスライダーの後方への付勢バネによって後方へ押圧される角柱部にハコ状ボディ本体のビス用孔に対応するビス用孔を備え、角柱部の両側にバネスライダーの勾配面に対応する勾配面を有すると共に、天板部がハコ状ボディ本体の切欠開口部に嵌入して奥行き方向へスライド可能に配備された押圧スライダーとから成ることを特徴とする床下点検口などの外枠装置。
【請求項２】
上記貫通孔の径は、貫通孔に挿通する頭部に係止爪を備える垂直アーム径より大きく設定し、垂直アーム径に対し貫通孔径が大きい分、ハコ状ボディ本体が奥行き方向へ移動可能に設定されていることを特徴とする請求項１記載の床下点検口などの外枠装置。
【請求項３】
上記ハコ状ボディ本体及びバネスライダーに設けられるビス用孔は、上下方向に一定間隔開いて複数配列され、床材の厚みに応じて選択使用されるものであることを特徴とする請求項１記載の床下点検口などの外枠装置。
【発明の詳細な説明】
【技術分野】
【０００１】
この発明は、屋内床下に配備される床下点検口（あるいは床下収納庫）などの外枠装置に関する。
【背景技術】
【０００２】
床下点検口の外枠７は、図９で示すように、立上り壁７１と、立上り壁７１の上端を外向きに折り曲げた水平つば７２と、立上り壁７１の下端に連続し、内向きに突出するハコ状受け部７３とから成る。
【０００３】
床下点検口の施行に際しては、根太８１と床補強材８２と床材８３とで構成される床面８の適所に、点検口用の開口８４が開設される。この開口端面（床８端面）に上記立上り壁７１を対応させた状態で、水平つば７２を床面（床材上面）８に載せる。
【０００４】
ここで、立上り壁７１面内のビス孔７１ａから床材８３に対し、ビス７１ｂを打ち込み、床面８に対し外枠７を額縁状に固定する。一方、床開口に際し切り出した床材を方形状の蓋板８５とし、この蓋板８５の外縁に略断面「コ」の字状の内枠８６を固着して、内枠８６の底面をハコ状受け部７３の上面で支承する。
【特許文献１】特開２００３−１２００１４公報
【発明の開示】
【発明が解決しようとする課題】
【０００５】
従来の床下点検口の外枠では、立上り壁から床端面に対しビス打ちする。このビスを締め付けすぎると、床端面と外枠との間の適正な隙間がなくなり、外枠が変形する不利がある。
【０００６】
他方、ビスの締付け強度が十分でないと、ハコ状受け部の下方に支えがないことと相俟って、蓋板にかかる負荷は水平ツバの接地面でのみ支承する結果となる。このため、水平ツバの接地面が支点となって、外枠は矢印Ｃ方向へ変形する。
【０００７】
仮に、外枠のハコ状受け部を支える受け桟８７を施行した場合は、外枠の矢印Ｃ方向への変形は解消し得る反面、床面開口寸法を基準寸法どおり正確に加工しなければならず、且つ受け桟の上面高さを正確に施行しなければならない等、これらの作業が極めて煩瑣であり熟練を要する等の不利があった。
【０００８】
この発明は、以上のような課題を解消させ、煩瑣な受け桟の施行作業が不要で、且つ外枠が床端面に対し変形することなく適正強固に取り付け得、しかも耐荷重性能が高い許かりでなく、熟練を要せず、簡単且つ容易に施行し得る床下点検口などの外枠装置を提供することを目的とする。
【課題を解決するための手段】
【０００９】
この目的を達成させるために、この発明の床下点検口などの外枠装置では、次のような構成としている。
【００１０】
床下点検口などの外枠装置は、内枠の底面を支承するハコ状受け部の底面に取付用スリットを開口した外枠と、この外枠に脱着する外枠取付手段とからなり、外枠取付手段は前面にビス用孔を開設し、上面に切欠開口部と貫通孔とを備えた背面開口のハコ状ボディ本体と、このハコ状ボディ本体の貫通孔に嵌入され、臨出する係止爪が取付用スリットを介して外枠のハコ状受け部に固定される介在アームと、ハコ状ボディ本体に嵌着され、対向する両壁の上面が前方向に上昇傾斜する勾配面を有し、底面部に後方への付勢バネと下方への付勢バネとを備え、両壁の嵌合突部が介在アームの下部の嵌合受け部に嵌着すると共に、下方への付勢バネがハコ状ボディ本体のバネ押え片に係止するバネスライダーと、バネスライダーの後方への付勢バネによって後方へ押圧される角柱部に、ハコ状ボディ本体のビス用孔に対応するビス用孔を備え、角柱部の両側にバネスライダーの勾配面に対応する勾配面を有すると共に、天板部がハコ状ボディ本体の切欠開口部に嵌入して奥行き方向へスライド可能に配備された押圧スライダーとから成ることを特徴としている。
【発明の効果】
【００１１】
このような構成を有する床下点検口などの外枠装置では、外枠に対し外枠取付手段を脱着可能且つ奥行き方向へ移動可能に取り付けることとしたから、外枠取付手段の押圧スライダーからボディ本体に向けてビスを打ち込むことで、ビス先端が床材に螺入して締め付ける結果、外枠は床端面に対し適正な隙間を保持して強固に床面に止着される。
【００１２】
従って、ビスの締め付けに際しては、床材表面に載せおく外枠には一切、締め付け力が作用しない。このため、ビス締め付け力が強すぎることによる外枠の変形などの不利が解消される許かりでなく、外枠は適正且つ強固に床材に取り付けられる。
【００１３】
また、内枠の底面を支承する外枠のハコ状受け面部は、外枠取付手段（ハコ状ボディ本体）によって支承され、且つ外枠取付手段は根太（床材）に対し強固にビス止着される。従って、内枠及び外枠に作用する荷重に対する支承強度が大である。  
【００１４】
更に、外枠に対し固定された介在アーム（棒状部径）より貫通孔（角形孔径）が大きい分、外枠取付手段（ハコ状ボディ本体）は、奥行き方向へ移動可能である。従って、床開口寸法が基準寸法に対してやや不正確な場合であっても、ハコ状ボディ本体の移動量で吸収し得る。
【００１５】
かくして、受け桟の煩瑣な施行作業も不要となる許かりでなく、床材の厚さ構成に応じて選択したビス孔に、ビスを打ち込むだけの簡単な作業で、熟練を要せず、正確、容易に点検口などの外枠施行を実施し得る等、発明目的を達成した優れた効果を有する。
【発明を実施するための最良の形態】
【００１６】
以下、図面に基づき本発明に係る床下点検口などの外枠装置の具体的な実施の形態を説明する。
【００１７】
図１は、実施の形態の床下点検口などの外枠装置を示す分解斜視図である。
床下点検口などの外枠装置は、外枠Ａと、外枠Ａに取り付ける外枠取付手段Ｂとからなる。
【００１８】
外枠Ａは、所定長さ、高さを有する立上り壁１１の上端を外向きに折り曲げて水平ツバ部（載せ縁部）１２を設けると共に、立上り壁１１の下端に打ち向きに突出するハコ状受け部１３を連続形成したもので、ハコ状受け部１３の底面１３ａに取付用スリット１３ｂを開口した点に特徴を有する。
【００１９】
外枠取付手段Ｂは、合成樹脂の成形品で、ハコ状ボディ本体２と、ハコ状ボディ本体と外枠Ａとの間に介在する介在アーム３と、介在アームをハコ状ボディ本体内で嵌着固定するバネスライダー４と、ハコ状ボディ本体にスライド可能に取り付けられ、ビス９の締め付け力で、バネスライダーを押圧してハコ状ボディ本体２を奥行き方向へ移動させる押圧スライダー５とから成る。
【００２０】
ハコ状ボディ本体２は、背面が開口した直方体形状で、前面２１の幅中央に上下方向へビス孔２１ａ、２１ｂ、２１ｃを開設している。また、上面２２の面内左右両側には介在アーム３が嵌入する貫通孔（角孔）２６，２６を開口している。
【００２１】
更に、上面２２の中央には押圧スライダー５の天板５２を支承する上面切欠き開口部２５を開設している。この「コ」字状の切欠き開口部２５の左右対向端には、ヒサシ状受け面２５ａ、２５ａを設けて、押圧スライダー５の天板部５２ａを支承する。
【００２２】
上記前面２１の裏面（内側）には、ビス孔２１ｃの左右両側に、内方向へ突出する縦長さが短いガイド爪２３、２３を設けると共に、角孔２６に対応する下方に水平状のバネ押え片２４、２４を対向突設している。
【００２３】
前記介在アーム３は、水平アーム３１と、水平アーム３１の両端から垂下する垂直アーム３２、３２とからなる。垂直アーム３２の径は、上記外枠Ａの取付用スリット１３ｂ幅に対応すると共に、前記角孔２６の径より小さく設定してある。従って、垂直アーム３２は、角孔２６内で奥行き方向へ移動し得る。
【００２４】
垂直アーム３２は、溝３２ａを介して水平アーム３１と一体の板部３３と、割り溝３４ａを介して二つに分岐した棒状部３４、３４とからなる。棒状部３４の先端には、外方向へ出っ張る係止爪３４ｂが設けられ、前記外枠Ａの底面１３ａに止着する。
【００２５】
前記バネスライダー４は、底板部４１と、底板部４１の両端に立ち上がる垂直壁板４２、４２とからなる。垂直壁板４２の上端面は、奥行き方向へ上昇傾斜する勾配面４２ａに設定してある。
【００２６】
更に、底板部４１の前端には湾曲バネ板４３、４３が内向きに突設され、垂直壁板４２の下端には外向きのバネ板４５が突設してある。また、垂直壁板４２の内面には嵌合凹部４６を設け、外面には嵌合突部４４が突設してある。
【００２７】
図２で示すように、ハコ状ボディ本体２に対し、介在アーム３の垂直アーム３２を嵌入した状態で、水平アーム３１と係止爪３４ｂが上方に臨出している。この状態で、バネスライダー４をボディ本体２入れると、嵌合突部４４が介在アーム３の嵌合受け部３２ｂに嵌着し、且つ嵌合凹部４６にガイド爪２３が嵌まる。
【００２８】
更に、バネ板４５の先端は、バネ押え片２４の下側へ係止する。これにより、ボディ本体２と介在アーム３及びバネスライダー４は、一体に連繋されている。ここで、底板下端部４１ａがボディ本体２の底面切欠き２７に位置するバネスライダー４を上方へ押すと、付勢バネ４５に抗して介在アーム３を僅かに上下動させることができる。
【００２９】
上記押圧スライダー５は、図１で示すように、ビス貫通孔５１ａ、５１ｂ、５１ｃを開設した角柱部５１と、角柱部５１の上端に設けた天板部５２と、角柱部５１の左右両側に外方向へ突出する張出し部５３、５３と、上記ビス貫通孔の両側に設けたバネ受け溝５４とから成る。
【００３０】
図３は、ハコ状ボディ本体２から介在アーム３を取り外し、バネスライダー４と押圧スライダー５との関係を表した説明図である。
【００３１】
押圧スライダー５の天板５２は、ハコ状ボディ本体２の上面切欠き開口部（ヒサシ状受け面２５ａ）２５に重合した状態で、ボディ本体２内に嵌合している。
【００３２】
更に、この状態で、角柱部５１のバネ受け溝５４をバネスライダー４の内向きバネ板４３が後方へ押圧している。従って、角柱部５１の下部は、左右両壁４２の内面に接面した状態で後方へ付勢されている。これにより、上下方向に対応する張出し勾配面５３ｂと勾配面４２ａとは前後方向へ位置ずれし、両勾配面は接面していない（図４参照）。
【００３３】
このような構成を有する床下点検口などの外枠装置では、図４で示すように、外枠Ａを床面８開口端に取り付ける。つまり、水平ツバ部１２を床面に重合させ、立上り壁１１を床開口端面８４に対応させる。
【００３４】
このとき、床開口寸法が基準寸法どおりに施行されていれば、立上り壁１１の当接部１１ａ並びに水平ツバ部１２の当接部１２ａが床開口端面に接面し、立上り壁１１と床開口面との間には適正な隙間が開く。
【００３５】
ここで、外枠取付手段Ｂを外枠Ａの任意位置に取り付ける。図４で示すように、介在アーム３の係止爪３４ｂをハコ状受け部１３の取付用スリット１３ｂに嵌入させる。嵌合した係止爪３４ｂは、底面１３ａに係止固定する。この固定状態で、ボディ本体２は角孔２６径が大きい分、奥行き方向へ移動可能である。
【００３６】
また、この取り付け状態において、上記同様に床開口寸法が基準寸法どおりに施行されていれば、ハコ状ボディ本体２の前面２１は、ほぼ当接部１１ａ、１２ａの仮想線上に位置するため、前面２１は床開口端面８４に接面する。
【００３７】
ここにおいて、ビス９を押圧スライダー５のビス孔２１ａに入れ締め付ける。常態において、押圧スライダー５は、バネスライダー４によって後方へバネ付勢され、位置ずれしているため、対応する勾配面５３ｂ、４２ａは接面していない（図４参照）。
【００３８】
この状態からビス９を締め付けると、ビス９先端は連通するボディ本体前面２１のビス孔２１ａを貫通して根太８１に侵入する。ビス９の締め付けで、押圧スライダー５はバネ４３力に抗して前方方向（奥行き方向）へ移動する。このとき、天板５２の突子５２ａがヒサシ状受け面２５ａの突子２５ｃを乗り越え（図１参照）、奥行き方向へスライド移動する。
【００３９】
そして、図５で示すように、対応する勾配面５３ｂと勾配面４２ａが接面する。更にビス９を締め付けるとき、バネスライダー（勾配面４２ａ）４が僅かに下方へ押し下げられ、且つ同時に連繋する介在アーム３も僅かに押し下げられる結果、外枠Ａとボディ本体２とが強固に密着させられる。
【００４０】
図６で示すように、ビス９の締め付けで押圧スライダー５が最も深く押し込まれると、つまり、天板５２の前端が上面切欠き開口部２５の前端（ストッパ）２５ｂに当接するとき、介在アーム３を最も強く引き込み、ハコ状ボディ本体２を外枠Ａとバネスライダー４とで挟圧すると同時に、前面２１が根太８１に強力に接面する。
【００４１】
図７は、床開口寸法が誤って基準寸法よりやや大きく加工されている場合について図示している。
【００４２】
この場合は、ビス９の締め付けによって、固定介在アーム３に対し、ハコ状ボディ本体（バネスライダー４、押圧スライダー５）２が奥行き方向へ移動して、前面２１が根太８１に接面する。ビス９への締め付けによって、床開口寸法の誤りが吸収され、且つ外枠Ａ変形の虞れがなく適正に止着される。
【００４３】
図８は、床が根太８１を使用せずに、所謂、床材と下地材のみから施行される場合について図示している。例えば、床材が１２ミリ厚みで、下地材（下地構造用合板）８２が１２ミリ厚みの場合では、実施の形態のように、根太８１に対応するビス孔２１ｃ（５１ｃ）を選択してビス止着する。
【００４４】
一方、図８のように、床材が１２ミリ厚みで下地材８２が２４ミリ厚み、２８  ミリ厚み、３０ミリ厚みの場合には、これに対応するビス孔２１ａ（５１ａ）を選択してビス止着することで、根太８１の有無並びに床材厚みに関わりなく施行し得る。
【図面の簡単な説明】
【００４５】
【図１】実施の形態の床下点検口などの外枠装置を示す分解斜視図である。
【図２】ボディ本体に介在アームとバネスライダーを嵌合した状態を示す説明平面図である
【図３】ボディ本体から介在アームのみを取り出した状態を示す説明平面図である。
【図４】床面に取り付けた外枠に外枠取付手段を装着した状態を示す説明断面図である。
【図５】外枠取付手段をビスで締め付ける状態を示す説明断面図である。
【図６】外枠取付手段に対しビスを締め付け、根太に強固に接着させる状態を示す説明断面図である。
【図７】床開口寸法が基準寸法より大きい場合の外枠及び外枠取付手段の装着状態を示す説明断面図である。
【図８】根太のない床材に対し外枠取付手段を取り付ける際のビス孔の選択例を示す説明断面図である。
【図９】従来の点検口などの外枠を示す断面図である。
【符号の説明】
【００４６】
Ａ      外枠
Ｂ      外枠取付手段
２      ハコ状ボディ本体
３      介在アーム
４      バネスライダー
５      押圧スライダー
１１    立上り壁
１２    水平ツバ部
１３    ハコ状受け部
１３ａ  底面
１３ｂ  取付用スリット
２１    前面
２２    上面
２５    切欠開口部
２６    貫通孔
２１ａ  ビス用孔  
３１    水平アーム
３２    垂直アーム
３４ｂ  係止爪
４１    底板部
４２    立上り両壁
４２ａ  勾配面
４２    後方への付勢バネ
４５    下方への付勢バネ
４４    嵌合突子
４５    嵌合受け部
５１    角柱部
５２    天板部
５３    勾配面
５１ａ  ビス用孔
９      ビス
【図１】
0005085380.tif 000002
【図２】
0005085380.tif 000003
【図３】
0005085380.tif 000004
【図４】
0005085380.tif 000005
【図５】
0005085380.tif 000006
【図６】
0005085380.tif 000007
【図７】
0005085380.tif 000008
【図８】
0005085380.tif 000009
【図９】
0005085380.tif 000010